(57)【要約】【課題】雨水等を貯水し、なおかつ雨水等が有する熱を効率的に利用する。【解決手段】水道水が貯水され、貯水された前記水道水を外部に供給するための第１の供給部１１１を備える第１の貯水タンク１１０と、屋根７０を流れた水が貯水される第２の貯水タンク１２０と、屋根７０を流れた水と第１の貯水タンク１１０に貯水された水道水とが熱交換可能なように設けられた、屋根７０を流れた水を第２の貯水タンク１２０に注水するための第１の注水路１４０とを備える。【選択図】図１
2014062726.tif 000002
【特許請求の範囲】
【請求項１】
水道水が貯水される第１の貯水タンクと、
前記第１の貯水タンクに貯水された水を外部に供給するための第１の供給部と、
建物の外壁上を流れた水が貯水される第２の貯水タンクと、
前記建物の外壁上を流れた水を前記第２の貯水タンクに注水し、前記建物の外壁上を流れた水と前記第１の貯水タンクに貯水された前記水道水とが熱交換可能なように設けられた第１の注水路とを備える
タンクシステム。
【請求項２】
前記第１の注水路に注水された水が前記第１の注水路を流れる間に前記第１の貯水タンクに貯水される水と熱交換することにより冷却され、前記第１の貯水タンクに貯水される水が前記熱交換により加温される
請求項１に記載のタンクシステム。
【請求項３】
前記建物の外壁の少なくとも一部には、ＰＶ（ＰｈｏｔｏＶｏｌｔａｉｃ）パネルが設けられている
請求項１または２に記載のタンクシステム。
【請求項４】
さらに、前記第２の貯水タンクに貯水された水を前記建物の外壁に散布する散布部に供給する
請求項１〜３のいずれか１項に記載のタンクシステム。
【請求項５】
前記第１の注水路は、前記散布部が前記建物の外壁に散布した水を前記第２の貯水タンクに注水する
請求項４に記載のタンクシステム。
【請求項６】
前記第１の貯水タンクの材質は、前記第２の貯水タンクの材質よりも断熱性が高い
請求項１〜５のいずれか１項に記載のタンクシステム。
【請求項７】
前記第２の貯水タンクは、前記第２の貯水タンクに貯水された水を放熱するための放熱部を備える
請求項１〜６のいずれか１項に記載のタンクシステム。
【請求項８】
さらに、
前記建物の外壁上を流れた水を前記第２の貯水タンクに注水するための第２の注水路と、
前記建物の外壁上を流れた水を前記第１の注水路に注水するか、前記第２の注水路に注水するかの切替を行う切替部とを備える
請求項１〜７のいずれか１項に記載のタンクシステム。
【請求項９】
前記第２の貯水タンクは、第１の貯水部と、第２の貯水部とに分離されており、
前記第１の貯水部には、前記建物の外壁上を流れた水が前記第１の注水路から注水され、
前記第２の貯水部には、前記建物の外壁上を流れた水が前記第２の注水路から注水される
請求項８に記載のタンクシステム。
【請求項１０】
さらに、前記切替部の前記切替を制御する制御部と、
前記建物周辺の外気の温度、前記建物の外壁の温度、又は前記建物の外壁上を流れた水の温度を測定する温度測定部を備え、
前記制御部は、
前記温度測定部が測定した温度が所定の温度以上である場合、前記建物の外壁上を流れた水が前記第１の注水路に注水され、
前記温度測定部が測定した温度が所定の温度未満である場合、前記建物の外壁上を流れた水が前記第２の注水路に注水されるように前記切替部の前記切替を制御する
請求項８または９に記載のタンクシステム。
【請求項１１】
前記制御部は、
前記建物の外壁上を流れた水の前記第２の貯水タンクへの注水を開始してから所定の時間が経過するまでは、前記建物の外壁上を流れた水が前記第２の注水路に注水され、
前記所定の時間の経過後は、前記建物の外壁上を流れた水が前記第１の注水路に注水されるように前記切替部の切替を制御する
請求項１０に記載のタンクシステム。
【請求項１２】
前記第２の貯水タンクは、当該第２の貯水タンクに貯水された水を外部に供給するための第２の供給部を備える
請求項１〜１１のいずれか１項に記載のタンクシステム。
【請求項１３】
前記第１の注水路は、前記第１の貯水タンクの内部に設けられる
請求項１〜１２のいずれか１項に記載のタンクシステム。
【請求項１４】
前記第１の注水路は、前記第１の貯水タンクの外部に設けられる
請求項１〜１２のいずれか１項に記載のタンクシステム。
【請求項１５】
前記第１の貯水タンクは、前記第２の貯水タンクに近接して設けられる
請求項１〜１４のいずれか１項に記載のタンクシステム。
【請求項１６】
さらに、
前記第１の貯水タンクに水道水を注水する注水部と、
前記注水部が注水する前記水道水の水量を制御する水量制御部と、
前記第１の貯水タンクの水量を測定する水量測定部とを備え、
前記水量制御部は、前記水量測定部が測定する水量が所定の水量を下回った場合、前記注水部を制御することによって前記水道水を前記第１の貯水タンクに注水する
請求項１〜１５のいずれか１項に記載のタンクシステム。
【請求項１７】
さらに、前記第１の供給部から供給される前記第１の貯水タンクに貯水された水は、水を沸かす給湯器に供給される
請求項１〜１６のいずれか１項に記載のタンクシステム。
【請求項１８】
前記第２の貯水タンクに貯水された水は、前記第２の供給部からトイレに供給される
請求項１２に記載のタンクシステム。
【請求項１９】
水道水が貯水され、貯水された前記水道水を外部に供給するための第１の供給部を備える第１の貯水タンクと、ＰＶパネル上を流れた水が貯水される第２の貯水タンクと、前記ＰＶパネル上を流れた水と前記第１の貯水タンクに貯水された前記水道水とが熱交換可能なように設けられた、前記ＰＶパネル上を流れた水を前記第２の貯水タンクに注水するための第１の注水路と、前記ＰＶパネル上を流れた水を前記第２の貯水タンクに注水するための第２の注水路と、前記ＰＶパネル上を流れた水を前記第１の注水路に注水するか、前記第２の注水路に注水するかを切り替える切替部と、前記ＰＶパネル上を流れた水の水温を測定する温度測定部とを備えるタンクシステムの制御方法であって、
前記温度測定部が測定した温度が所定の温度未満である場合、前記建物の外壁上を流れた水が前記第１の注水路に注水されるように前記切替部を切り替える第１ステップと、
前記温度測定部が測定した温度が所定の温度以上である場合、前記建物の外壁上を流れた水が前記第２の注水路に注水されるように前記切替部を切り替える第２ステップとを含む
タンクシステムの制御方法。
【発明の詳細な説明】
【技術分野】
【０００１】
本発明は、貯水するためのタンクシステムに関するものであって、特に、貯水される水の熱を有効に利用できるタンクシステムに関する。
【背景技術】
【０００２】
近年、雨水等を貯水し、貯水した水を良好な水質を必要としない植栽用途、洗車用途などに使用する家庭用のタンクシステムが開発されている。このようなタンクシステムは、資源を有効活用でき、また被災等による断水対策にもなるため近年注目を浴びている（例えば、特許文献１参照）。
【先行技術文献】
【特許文献】
【０００３】
【特許文献１】特開２００３−１９９３７７号公報
【発明の概要】
【発明が解決しようとする課題】
【０００４】
特許文献１では、ソーラーパネルに付着した雨水等を貯水槽に貯水し、貯水した水の熱によって水道水を予熱するシステムが開示されている。しかしながら、特許文献１のシステムでは、貯水した水が有する熱を効率よく利用することが困難である。そこで本発明は、水により建物の外壁を冷却し、その際に生じる熱エネルギーを水に獲得させ、水の熱エネルギーを効果的に利用することができるタンクシステムを提供することを目的とする。
【課題を解決するための手段】
【０００５】
本発明の一実施の形態に係るタンクシステムは、水道水が貯水される第１の貯水タンクと、前記第１の貯水タンクに貯水された水を外部に供給するための第１の供給部と、建物の外壁上を流れた水が貯水される第２の貯水タンクと、前記建物の外壁上を流れた水を前記第２の貯水タンクに注水し、前記建物の外壁上を流れた水と前記第１の貯水タンクに貯水された前記水道水とが熱交換可能なように設けられた第１の注水路とを備えることを特徴とする。
【０００６】
なお、これらの全般的または具体的な態様は、システム、方法、集積回路、コンピュータプログラムまたはコンピュータ読み取り可能なＣＤ−ＲＯＭなどの記録媒体で実現されてもよく、システム、方法、集積回路、コンピュータプログラム及び記録媒体の任意な組み合わせで実現されてもよい。
【発明の効果】
【０００７】
本発明に係るタンクシステムによれば、水により建物の外壁を冷却し、その際に生じる熱エネルギーを水に獲得させ、水の熱エネルギーを効果的に利用することができる。
【図面の簡単な説明】
【０００８】
【図１】図１は、実施の形態１に係るタンクシステムを一般住宅に用いた場合の一例を表す図である。
【図２】図２は、実施の形態１に係るタンクシステムの貯水タンク部分の模式図である。
【図３】図３は、制御部の構成を表すシステムブロック図である。
【図４】図４は、制御部が温度に応じて切替部を切り替える動作のフローチャートである。
【図５】図５は、制御部が日射量に応じて切替部を切り替える動作のフローチャートである。
【図６】図６は、実施の形態１に係るタンクシステムの動作のフローチャートである。
【図７】図７は、タンクシステムの動作を説明するための第１の模式図である。
【図８】図８は、タンクシステムの動作を説明するための第２の模式図である。
【図９】図９は、タンクシステムの動作を説明するための第３の模式図である。
【図１０】図１０は、タンクシステムの動作を説明するための第４の模式図である。
【図１１】図１１は、タンクシステムの動作を説明するための第５の模式図である。
【図１２】図１２は、ＰＶパネルの温度と時間との関係を示す図である。
【図１３】図１３は、ＰＶパネルに散布される水量とＰＶパネルの発電効率、及び熱の取り出し効率との関係を示す図である。
【図１４】図１４は、回収される水の温度に基づく制御部の水の散布の制御を表すフローチャートである。
【図１５】図１５は、実施の形態２に係る制御部による切替部の切替制御を説明するための図である。
【図１６】図１６は、実施の形態２に係る制御部による切替部の切替制御のフローチャートである。
【図１７】図１７は、実施の形態３に係るタンクシステムの貯水タンク部分の模式図である。
【図１８】図１８は、実施の形態３に係るタンクシステムの通常循環時の水の流れを表す図である。
【図１９】図１９は、第１の注水路に滞留した水を抜く場合の水の流れを表す図である。
【図２０】図２０は、２つのポンプで水抜き制御を実施するタンクシステムの模式図である。
【図２１】図２１は、実施の形態４に係る制御部による切替部の切替制御のフローチャートである。
【図２２】図２２は、ＰＶパネルの外観図である。
【図２３】図２３は、図２２の（ｃ）において破線で囲った部分の拡大図である。
【図２４】図２４は、フレーム間のコーキング処理部分を示す図である。
【図２５】図２５は、第２の貯水タンクが放熱構造をとる場合のタンクシステムの模式図である。
【図２６】図２６は、第２の貯水タンクが複数の貯水部からなる場合のタンクシステムの模式図である。
【図２７】図２７は、図２６に示すタンクシステムの動作のフローチャートである。
【図２８】図２８は、タンクシステムの融雪処理を説明するための第１の模式図である。
【図２９】図２９は、タンクシステムの融雪処理を説明するための第２の模式図である。
【図３０】図３０は、タンクシステムの融雪処理を説明するための第３の模式図である。
【図３１】図３１は、タンクシステムの融雪処理を説明するための第４の模式図である。
【発明を実施するための形態】
【０００９】
（本発明の基礎となった知見）
背景技術で説明したように、特許文献１には、ソーラーパネルに付着した雨水等を貯水槽に貯水し、貯水した水の熱によって水道水を予熱するシステムが開示されている。
【００１０】
特許文献１に記載のシステムは、貯水した水の熱により供給管を通る水道水を予熱する構成であるが、このような構成では、供給管を通る水道水は、供給管を通るときにのみ予熱される。したがって、貯水した水の温度が低いような場合、つまり夜間等は、供給管を通る水道水を十分予熱することができない。つまり、熱交換の効率が悪いことが課題である。
【００１１】
そこで、本発明の一態様に係るタンクシステムは、水道水が貯水される第１の貯水タンクと、前記第１の貯水タンクに貯水された水を外部に供給するための第１の供給部と、建物の外壁上を流れた水が貯水される第２の貯水タンクと、前記建物の外壁上を流れた水を前記第２の貯水タンクに注水し、前記建物の外壁上を流れた水と前記第１の貯水タンクに貯水された前記水道水とが熱交換可能なように設けられた第１の注水路とを備えることを特徴とする。すなわち、前記第１の注水路に注水された水が前記第１の注水路を流れる間に前記第１の貯水タンクに貯水される水と熱交換することにより冷却され、前記第１の貯水タンクに貯水される水が前記熱交換により加温される。
【００１２】
これにより、建物の外壁上を流れる水温の高い水は、第１の注水路を流れる間に確実に第１の貯水タンクに貯水されている水と熱交換することができる。具体的には、第１の注水路に注入された水は、第１の注水路を流れる間に第１の貯水タンクに貯水された水と熱交換することにより冷却され、第１の貯水タンクに貯水された水が上記熱交換により加温される。また、第１の貯水タンクに貯水された水は、建物の外壁上を流れる水温の高い水が繰り返し第１の注水路に流れることにより、第１の貯水タンクに貯水された水道水を十分に予熱することが可能となる。つまり、雨水などの建物の外壁上を流れる水と、水道水とを高い効率で熱交換させることができる。
【００１３】
また、本発明の一態様において、前記建物の外壁の少なくとも一部には、ＰＶ（ＰｈｏｔｏＶｏｌｔａｉｃ）パネルが設けられていてもよい。
【００１４】
これにより、日射により温度が上昇したＰＶ（ＰｈｏｔｏＶｏｌｔａｉｃ）パネル上を流れる水が第１の注水路に注水されるため、第１の貯水タンクに貯水された水をさらに十分に予熱することが可能となる。
【００１５】
また、本発明の一態様において、さらに、前記第２の貯水タンクに貯水された水を前記建物の外壁に散布する散布部に供給してもよい。
【００１６】
これにより、積極的に第１の注水路に注水し、熱交換を行うことができる。また、建物の外壁にＰＶパネルが設けられる場合は、ＰＶパネルの表面を洗浄することにより発電効率を高めることができる。同時に、散布部の水の散布によってＰＶパネルを冷却することによってもＰＶパネルの発電効率を高めることができる。さらに、散布部がＰＶパネルに散布した水温の高い水が第１の注水路に注水されるため、第１の貯水タンクに貯水された水を十分に予熱することが可能となる。
【００１７】
また、本発明の一態様において、前記第１の注水路は、前記散布部が前記建物の外壁に散布した水を前記第２の貯水タンクに注水してもよい。
【００１８】
つまり、散布部が散布を続けることで、建物の外壁を流れる水を循環させることができ、これにより、建物の外壁上を流れる水と水道水とを積極的に熱交換させることができる。
【００１９】
また、本発明の一態様において、前記第１の貯水タンクの材質は、前記第２の貯水タンクの材質よりも断熱性が高くてもよい。
【００２０】
これにより、予熱された第１の貯水タンク内の水道水の水温を保つことができる。
【００２１】
また、本発明の一態様において、前記第２の貯水タンクは、前記第２の貯水タンクに貯水された水を放熱するための放熱部を備えてもよい。
【００２２】
これにより、予熱された第２の貯水タンク内の水の水温を下げることができる。ＰＶパネル及び散布部が設けられる場合は、水温の下がった水の散布によってＰＶパネルをさらに効率的に冷却することができる。
【００２３】
また、本発明の一態様において、さらに、前記建物の外壁上を流れた水を前記第２の貯水タンクに注水するための第２の注水路と、前記建物の外壁上を流れた水を前記第１の注水路に注水するか、前記第２の注水路に注水するかの切替を行う切替部とを備えてもよい。
【００２４】
これにより、雨水などの建物の外壁上を流れる水と、第１の貯水タンクに貯水された水道水とを熱交換させるか否かを切り替えることができる。
【００２５】
また、本発明の一態様において、前記第２の貯水タンクは、第１の貯水部と、第２の貯水部とに分離されており、前記第１の貯水部には、前記建物の外壁上を流れた水が前記第１の注水路から注水され、前記第２の貯水部には、前記建物の外壁上を流れた水が前記第２の注水路から注水されてもよい。
【００２６】
また、本発明の一態様において、さらに、前記切替部の前記切替を制御する制御部と、前記建物周辺の外気の温度、前記建物の外壁の温度、又は前記建物の外壁上を流れた水の温度を測定する温度測定部を備え、前記制御部は、前記温度測定部が測定した温度が所定の温度以上である場合、前記建物の外壁上を流れた水が前記第１の注水路に注水され、前記温度測定部が測定した温度が所定の温度未満である場合、前記建物の外壁上を流れた水が前記第２の注水路に注水されるように前記切替部の前記切替を制御してもよい。
【００２７】
つまり、水温により、建物の外壁上を流れた水の注入先を切り替えることで、温度の高い水だけを、第１の注水路に注水し、第１の貯水タンクに貯水された水を効果的に予熱することができる。
【００２８】
また、本発明の一態様において、前記制御部は、前記建物の外壁上を流れた水の前記第２の貯水タンクへの注水を開始してから所定の時間が経過するまでは、前記建物の外壁上を流れた水が前記第２の注水路に注水され、前記所定の時間の経過後は、前記建物の外壁上を流れた水が前記第１の注水路に注水されるように前記切替部の切替を制御してもよい。
【００２９】
例えば、散布部及びＰＶパネルが設けられる場合、散布部が水を散布するＰＶパネルは当初、汚れている。したがってＰＶパネルに供給される最初の所定量の水は第２の貯水部に注水し、第１の貯水部に注水しないようにすることで、第１の貯水部内は第２の貯水部内よりゴミや不純物等が少なくなり、第１の貯水部内の水と、第２の貯水部内の水とを用途に応じて使い分けることができる。
【００３０】
また、本発明の一態様において、前記第２の貯水タンクは、当該第２の貯水タンクに貯水された水を外部に供給するための第２の供給部を備えてもよい。
【００３１】
これにより、第２の貯水タンクに貯水された水を有効利用することができる。
【００３２】
また、本発明の一態様において、前記第１の注水路は、前記第１の貯水タンクの内部に設けられてもよい。
【００３３】
また、本発明の一態様において、前記第１の注水路は、前記第１の貯水タンクの外部に設けられてもよい。
【００３４】
また、本発明の一態様において、前記第１の貯水タンクは、前記第２の貯水タンクに近接して設けられてもよい。
【００３５】
また、本発明の一態様において、さらに、前記第１の貯水タンクに水道水を注水する注水部と、前記注水部が注水する前記水道水の水量を制御する水量制御部と、前記第１の貯水タンクの水量を測定する水量測定部とを備え、前記水量制御部は、前記水量測定部が測定する水量が所定の水量を下回った場合、前記注水部を制御することによって前記水道水を前記第１の貯水タンクに注水してもよい。
【００３６】
また、本発明の一態様において、さらに、前記第１の供給部から供給される前記第１の貯水タンクに貯水された水は、水を沸かす給湯器に供給されてもよい。
【００３７】
これにより、第１の貯水タンク内に水道水が所定の水量以上あるか否かを判断することで、より効果的に建物の外壁上を流れる水と水道水とを熱交換させることができる。
【００３８】
また、本発明の一態様において、前記第２の貯水タンクに貯水された水は、前記第２の供給部からトイレに供給されてもよい。
【００３９】
また、本発明の一態様に係るタンクシステムの制御方法は、水道水が貯水され、貯水された前記水道水を外部に供給するための第１の供給部を備える第１の貯水タンクと、ＰＶパネル上を流れた水が貯水される第２の貯水タンクと、前記ＰＶパネル上を流れた水と前記第１の貯水タンクに貯水された前記水道水とが熱交換可能なように設けられた、前記ＰＶパネル上を流れた水を前記第２の貯水タンクに注水するための第１の注水路と、前記ＰＶパネル上を流れた水を前記第２の貯水タンクに注水するための第２の注水路と、前記ＰＶパネル上を流れた水を前記第１の注水路に注水するか、前記第２の注水路に注水するかを切り替える切替部と、前記ＰＶパネル上を流れた水の水温を測定する温度測定部とを備えるタンクシステムの制御方法であって、前記温度測定部が測定した温度が所定の温度未満である場合、前記建物の外壁上を流れた水が前記第１の注水路に注水されるように前記切替部を切り替える第１ステップと、前記温度測定部が測定した温度が所定の温度以上である場合、前記建物の外壁上を流れた水が前記第２の注水路に注水されるように前記切替部を切り替える第２ステップとを含む。
【００４０】
以下、本発明の各実施の形態について、図面を用いて詳細に説明する。
【００４１】
なお、以下で説明する実施の形態は、いずれも本発明の好ましい一具体例を示すものである。以下の実施の形態で示される数値、形状、構成要素、構成要素の配置位置及び接続形態、処理のステップ、ステップの順序などは、一例であり、本発明を限定する主旨ではない。また、以下の実施の形態における構成要素のうち、最上位概念を示す独立請求項に記載されていない構成要素については、任意の構成要素として説明される。
【００４２】
（実施の形態１）
まず、本発明の実施の形態１に係るタンクシステムの概要について説明する。
【００４３】
図１は、本発明の実施の形態１に係るタンクシステムを一般住宅に用いた場合の一例を表す図である。
【００４４】
図１に示される住宅の屋根７０には、ＰＶパネル４０（ソーラーパネル）が設けられ、住宅において使用する一部の電力をＰＶパネル４０によって発電可能である。タンクシステム１００は、ＰＶパネル４０上を流れた水がＰＶパネル４０から熱エネルギーを獲得し、その熱エネルギーにより第１の貯水タンク１１０内に貯水された水道水（上水道２０から注水される上水）を予熱できることができ、上記第１の注水路１４０を用いて熱交換を繰り返し行うことが可能である。
【００４５】
具体的には、第１の注水路１４０が第１の貯水タンク１１０内に貯水された水道水と熱交換可能に設けられている。これにより、例えば、住宅内で風呂１０において温水を使用する場合に、通常、給湯器３０が用いられるが、給湯器３０に供給される水を第１の貯水タンク１１０内で予熱しておくことにより、給湯器３０が消費する電力量や消費するガス量等を低減することが可能である。
【００４６】
第２の貯水タンク１２０に貯水された水は、第１のポンプ１７０によって汲み上げられ、散布部５０によって屋根７０及びＰＶパネル４０に散布される。散布された水は、ＰＶパネル上を流れ、再度第１の注水路１４０を経由して第２の貯水タンク１２０に注水される。この際、第１の貯水タンク１１０内に貯水された水は、再度予熱されることとなる。つまり、第２の貯水タンク１２０内に貯水された水を循環させることでＰＶパネル４０の冷却と、第１の貯水タンク１１０内に貯水された水の予熱とを繰り返し行うことができる。
【００４７】
次に、タンクシステム１００について図１及び図２を用いて詳細に説明する。
【００４８】
図２は、タンクシステム１００の貯水タンク部分の模式図である。
【００４９】
図２に示されるように、タンクシステム１００は、第１の貯水タンク１１０と、第２の貯水タンク１２０と、第１の注水路１４０と、第２の注水路１５０と、切替部２１０とを備える。また、図１に示されるように、屋根７０の上には、散布部５０と、ＰＶパネル４０及び日射計６０が設けられる。給湯器３０はタンクシステム１００に接続されている。
【００５０】
まず、図２を用いて貯水タンク部分の詳細を説明する。
【００５１】
第１の貯水タンク１１０には、第１の注水部１８０から水道水が貯水される。本実施の形態では、第１の貯水タンク１１０の貯水量は、特に限定されないが、例えば、約４００リットルである。また、第１の貯水タンク１１０は、貯水された水道水を外部に供給するための第１の供給部１１１を備える。第１の貯水タンク１１０に貯水された水は、本実施の形態では、第１の供給部１１１から給湯器３０に供給される。
【００５２】
なお、図１及び図２では、第１の供給部１１１は第１の貯水タンク１１０の下側に設けられ、第１の注水部１８０は、第１の貯水タンク１１０の上側に設けられている。しかしながら、反対に、第１の供給部１１１が第１の貯水タンク１１０の上側に設けられ、第１の注水部１８０は、第１の貯水タンク１１０の下側に設けられてもよい。通常、第１の貯水タンク１１０内では、タンク内の上方の水のほうが温度が高いため、このような構成はより好ましい。
【００５３】
第２の貯水タンク１２０には、建物の外壁上を流れた水が貯水される。ここで建物の外壁には、建物の屋根７０および建物の壁面が含まれる。屋根７０または壁面にＰＶパネルが設けられてもよい。建物の外壁上を流れた水とは、雨水、及び散布部５０が散布する水を意味する。
【００５４】
本実施の形態では、第２の貯水タンク１２０の貯水量は、特に限定されないが、例えば約６００リットルである。また、第２の貯水タンク１２０は、貯水された水を外部に供給するための第２の供給部１２１を備える。第２の貯水タンク１２０に貯水された水は、本実施の形態では、第２の供給部１２１からトイレ２６０に供給され、高い水質を必要としないトイレの排水に用いられる。
【００５５】
ここで、第１の貯水タンク１１０の材料（材質）には、第２の貯水タンク１２０の材料（材質）よりも断熱性が高い材料が用いられる。具体的には、第１の貯水タンク１１０の材料は、特に限定されないが、例えば金属である。第２の貯水タンク１２０の材料は、特に限定されないが、例えば樹脂である。
【００５６】
上述のように、第１の貯水タンク１１０内の水は、第１の注水路１４０を流れる水により予熱されるため、予熱された水温を保つ必要がある。このため、第１の貯水タンク１１０には、断熱性の高い材料が用いられる。なお、第１の貯水タンク１１０は、さらに断熱材２４０で覆われていてもよい。
【００５７】
一方、第２の貯水タンク１２０内の水は、温度を保つ必要はなく、上述したＰＶパネル４０を冷却するために用いられるため、第２の貯水タンク１２０の材料は、放熱性の高い材料が用いられる。また、第２の貯水タンク１２０内の水は、第１のポンプ１７０によって汲み上げられ、散布部５０によって屋根７０及びＰＶパネル４０に散布される。第２の貯水タンク１２０には、雨樋２００及び第２の注水路１５０を通じて雨水を貯めることも可能であるし、第２の注水部１９０から水道水を注水することも可能である。
【００５８】
降水量が少ないとき（雨水が少ないとき）、第２の注水部１９０から第２の貯水タンク１２０に水道水が注水され、第２の貯水タンク１２０の水に占める水道水の割合が大きくなる。降水量が多いとき（雨水が多いとき）、第２の注水部１９０から第２の貯水タンク１２０に水道水は注水されることなく、第２の貯水タンク１２０の水に占める雨水の割合が大きくなる。また、第２の貯水タンク１２０の水が第１のポンプ１７０によって汲み上げられ、散布部５０によって散布され、第１の注水路１４０に注水され、第２の貯水タンク１２０に戻り、再び第１のポンプ１７０によって汲み上げられるという過程が繰り返される。その過程の繰り返しの中で、第２の貯水タンク１２０の水が減少し、所定の水量を下回った場合、第２の注水部１９０から第２の貯水タンク１２０に水道水が注水される。
【００５９】
なお、図１及び図２では、第２の供給部１２１は第２の貯水タンク１２０の下側に設けられ、第２の注水部１９０は、第２の貯水タンク１２０の上側に設けられている。しかしながら、反対に、第２の供給部１２１が第２の貯水タンク１２０の上側に設けられ、第２の注水部１９０は、第２の貯水タンク１２０の下側に設けられてもよい。通常、第２の貯水タンク１２０内では、タンク内の上方の水のほうが温度が高いため、このような構成はより好ましい。
【００６０】
なお、第１の貯水タンク１１０と、第２の貯水タンク１２０とは近接して設けられる。
【００６１】
第１の注水路１４０は、建物の外壁上を流れた水を第２の貯水タンク１２０に注水するために設けられた水路である。第１の注水路１４０は、また、第１の貯水タンク１１０に貯水された水道水と熱交換可能に設けられている。つまり、第１の注水路１４０は、雨水などの屋根７０及びＰＶパネル４０上を流れ第１の注水路１４０に注水される水と、第１の貯水タンク１１０に貯水された水とを高い効率で熱交換させる。具体的には、第１の注水路１４０は、第１の貯水タンク１１０に貯水された水との接触面積が大きくなるように、第１の貯水タンク１１０の内部に蛇行状に設けられている。第１の注水路１４０の材料は、熱伝導率の高い材料が望ましい。例えば、第１の注水路１４０の材料は銅である。
【００６２】
なお、本実施の形態では、屋根７０及びＰＶパネル４０上を流れた水は、フィルタ１６０を通って第１の注水路１４０に注水される。フィルタ１６０は、水中に含まれる不純物やゴミなどを取り除くためのフィルタであり、浄水器等に用いられる汎用のものである。フィルタ１６０を設けることにより、第２の貯水タンクに不純物やゴミ等が混入することを防止できる。
【００６３】
第２の注水路１５０は、建物の外壁上を流れた水を第２の貯水タンク１２０に注水するために設けられた水路である。第２の注水路１５０は、第１の注水路１４０とは異なり、第１の貯水タンク１１０の外側に設けられ、第２の注水路１５０に注水される水と、第２の貯水タンク１２０に貯水された水とを熱交換させない。
【００６４】
第１の注水路１４０及び第２の注水路１５０は、後述する切替部２１０によって分岐された水路である。タンクシステム１００では、切替部２１０を制御することにより、屋根７０及びＰＶパネル４０上を流れた水を第１の注水路１４０に注水するか第２の注水路１５０に注水するかを切り替えることが可能である。
【００６５】
次に、再度図１を用いてタンクシステム１００のその他の構成について説明する。
【００６６】
散布部５０は、第２の貯水タンク１２０に貯水され第１のポンプ１７０によって汲み上げられた水を屋根７０及びＰＶパネル４０に散布する。散布部５０は複数設けられたノズルそれぞれから、主にＰＶパネル４０に霧状の水を散布する。
【００６７】
これにより、ＰＶパネル４０の上の広い範囲に水を散布でき、ＰＶパネル４０の冷却効果は高い。したがって、散布部５０が霧状の水を散布することは、ＰＶパネル４０の発電効率をより高める効果を奏する。同時に、散布部５０の水の散布は、ＰＶパネル４０の表面を洗浄する効果もある。つまり、散布部５０は、ＰＶパネル４０表面を洗浄することによってＰＶパネル４０の発電効率を高める。なお、散布部５０は、液滴状の水をＰＶパネルに散布してももちろんよい。
【００６８】
切替部２１０は、建物の外壁上を流れた水を第１の注水路１４０に注水するか、第２の注水路１５０に注水するかを切り替える切り替え機構である。切替部２１０の切替は、後述する制御部によって制御される。
【００６９】
ＰＶパネル４０は、住宅の屋根７０上に設けられ、太陽光を電力に変換する汎用の太陽電池モジュールである。ＰＶパネル４０は、太陽光エネルギーを電気エネルギーに変換する機能を有する最小単位であるＰＶセルを複数備える構成である。
【００７０】
給湯器３０は、電気（電力）またはガスを用いて第１の供給部１１１から供給される第１の貯水タンク１１０に貯水された水道水を沸かす汎用の給湯器である。給湯器３０が沸かした温水は、風呂１０など、住宅内において使用される。なお、給湯器３０は、ガスで水を沸かす構成であってもよいし、ＰＶパネル４０が発電した電力によって水を沸かす構成であってもよい。また、図示しないが、第１の貯水タンク１１０の第１の供給部１１１から給湯器に水を供給する場合、ポンプ（第３のポンプ）を用いてもよい。
【００７１】
日射計６０は、日射量を測定するもので、屋根７０上に設けられる。日射計６０が測定した日射量の情報は、図示しない制御部に送信される。
【００７２】
以上、図１及び図２で説明したタンクシステム１００の一部の制御、及び図示しない計器類の制御は、制御部が行う。以下、制御部の詳細について説明する。
【００７３】
図３は、制御部の構成を表すシステムブロック図である。
【００７４】
タンクシステム１００は、温度測定部２２１として外気温計２２２及びＰＶパネル温度計２２３を備える。外気温計２２２は、住宅の外気温を測定し、ＰＶパネル温度計２２３は、ＰＶパネル４０の表面の温度を測定する。なお、ＰＶパネル温度計２２３は、ＰＶパネル４０の表面を流れる水の水温を測定する構成であってもよい。
【００７５】
ＰＶパネル発電電力計２２４は、ＰＶパネル４０が発電する電力を計測する。
【００７６】
第１の水温計２２５は、第１の貯水タンク１１０に貯水された水の温度を測定し、第２の水温計２２６は、第２の貯水タンク１２０に貯水された水の温度を測定する。
【００７７】
また、タンクシステム１００は、水量測定部２３２として第１の水量計２２７及び第２の水量計２２８を備える。
【００７８】
第１の水量計２２７は、第１の貯水タンク１１０に貯水された水の水量を測定し、第２の水量計２２８は、第２の貯水タンク１２０に貯水された水の水量を測定する。
【００７９】
以上説明した日射量、温度、電力、及び水量の情報は、制御部２２０に伝送され、管理される。
【００８０】
制御部２２０（水量制御部）は、第１の水量計２２７が測定した水量等に基づいて、第１の注水部１８０に設けられた第１の貯水バルブ２２９の開閉を制御し、第１の貯水タンク１１０に注水される水道水の量を制御する。具体的には、例えば、制御部２２０は、第１の水量計２２７が測定する水量が所定の水量を下回った場合、第１の貯水バルブ２２９の開閉を制御することによって水道水を第１の貯水タンク１１０に注水する。
【００８１】
また、制御部２２０は、第２の水量計２２８が測定した水量等に基づいて、第２の注水部１９０に設けられた第２の貯水バルブ２３０の開閉を制御し、第２の貯水タンク１２０に注水される水道水の量を制御する。具体的には、例えば、制御部２２０は、第２の水量計２２８が測定する水量が所定の水量を下回った場合、第２の貯水バルブ２３０の開閉を制御することによって水道水を第２の貯水タンク１２０に注水する。
【００８２】
また、制御部２２０は、第１のポンプ１７０、第２のポンプ２５０、及び第３のポンプ２３１の動作を制御する。
【００８３】
また、制御部２２０は、切替部２１０の切替を制御する。
【００８４】
制御部２２０は、例えば、温度測定部２２１が測定した温度に応じて切替部２１０の切替を制御することが可能である。
【００８５】
図４は、制御部２２０が温度に応じて切替部２１０を切り替える動作のフローチャートである。
【００８６】
制御部２２０は、温度測定部２２１が測定した温度を取得し（Ｓ１０１）、取得した温度が所定の温度以上である場合（Ｓ１０２でＹｅｓ）、屋根７０及びＰＶパネル４０上を流れた水が第１の注水路１４０に注水されるように切替部２１０を切り替える。温度測定部２２１が測定した温度が所定の温度未満である場合（Ｓ１０２でＮｏ）、屋根７０及びＰＶパネル４０上を流れた水が第２の注水路１５０に注水されるように切替部２１０を切り替える制御を行う。なお、この場合、制御部２２０は、建物の周辺の外気の温度、建物の外壁温度、又は建物の外壁上を流れた水の温度のうち少なくとも一つの温度をあらかじめ設定された所定の温度と比較すればよい。
【００８７】
このように、制御部２２０が温度に応じて切替部２１０を切り替えることにより、外気等の温度が高く、第１の貯水タンク１１０内の水を予熱することが可能な場合のみ、制御部２２０は、第１の注水路１４０を選択する。したがって、屋根７０及びＰＶパネル４０上を流れた水と第１の貯水タンク１１０内の水とを効果的に熱交換させることができる。
【００８８】
また、制御部２２０は、日射計６０が測定した日射量に応じて切替部２１０の切替を制御することももちろん可能である。
【００８９】
図５は、制御部２２０が日射量に応じて切替部２１０を切り替える動作のフローチャートである。
【００９０】
制御部２２０は、まず、日射計６０が取得した日射量を取得する（Ｓ２０１）。日射計６０が測定した日射量が所定の閾値以上である場合（Ｓ２０２でＹｅｓ）、つまり天気のよい日は、屋根７０及びＰＶパネル４０上を流れた水が第１の注水路１４０に注水されるように切替部２１０を切り替える。同様に、日射計６０が測定した日射量が所定の閾値未満である場合（Ｓ２０３でＹｅｓ）、つまり天気の悪い日は、屋根７０及びＰＶパネル４０上を流れた水が第２の注水路１５０に注水されるように切替部２１０を切り替える。
【００９１】
このように、制御部２２０が日射量に応じて切替部２１０を切り替えることにより、制御部２２０は、天気が良く、第１の貯水タンク１１０内の水を予熱することが可能な場合のみ、第１の注水路１４０を選択する。したがって、屋根７０及びＰＶパネル４０上を流れた水と第１の貯水タンク１１０内の水とを効果的に熱交換させることができる。
【００９２】
なお、以上説明した温度、電力、及び水量の情報は、住宅内に設けられたユーザインタフェースに表示され、ユーザは上記情報を確認することができる。また、上記ユーザインタフェースからの操作により、第１の貯水バルブ２２９、第２の貯水バルブ２３０、及び切替部２１０をマニュアル制御することも可能である。
【００９３】
次に、タンクシステム１００の動作の一例について説明する。以下の説明では、ＰＶパネル４０を冷却する必要があるか否かに基づいて散布部５０の散布を制御する例について説明するが、タンクシステム１００の動作は、これに限定されない。
【００９４】
図６は、タンクシステム１００の動作の一例を示すフローチャートである。
【００９５】
図７〜図１１は、タンクシステム１００の動作を説明するための模式図である。
【００９６】
なお、以下の図６〜図１１を用いた説明では、切替部２１０は、ＰＶパネル４０を流れた水が第１の注水路１４０に注水されるように切り替えられているものとする。
【００９７】
まず、制御部２２０は、日射計６０が測定した日射量と、ＰＶパネル発電電力計２２４が測定した発電量とを取得する（図６のＳ３０１）。これにより、制御部２２０は、ＰＶパネル４０の発電量が低下しているか否かを判断する。具体的には、ＰＶパネル４０への日射量に基づいて求められる基準発電量と、実際の発電量とを比較する。実際の発電量が基準発電量よりも小さい場合は、ＰＶパネル４０は温度上昇により、発電効率が低下しているものと推定される。言い換えれば、ＰＶパネル４０は冷却される必要があると考えられる（図６のＳ３０２でＹｅｓ）。
【００９８】
なお、このように、ＰＶパネル４０の発電効率は、ＰＶパネル４０周辺の温度に依存する。このため、ステップＳ３０１で温度測定部２２１が測定した温度情報を取得し、ステップＳ３０２において取得した温度が所定の温度以上である場合は、ＰＶパネル４０の冷却が必要であると判断してもよい。
【００９９】
続いて、制御部２２０は、第１の水量計２２７が測定した水量を取得し（図６のＳ３０３）、水量があらかじめ設定された所定の水量未満である場合は、第１の貯水バルブ２２９の開閉を制御し、第１の注水部１８０から第１の貯水タンク１１０に注水する（図６のＳ３０４）。同様に、第２の水量計２２８が測定した水量を取得し（図６のＳ３０４）、水量が所定の水量未満である場合は、第２の貯水バルブ２３０の開閉を制御し、第２の注水部１９０から第２の貯水タンク１２０に注水する（図６のＳ３０４）。
【０１００】
以上のステップＳ３０３〜ステップＳ３０４の動作を終えた状態を模式的に示したものが図７である。図中において記号Ａ、Ｂ、Ｃ、及びＤに相当する領域はこの順に温度が高いことを模式的に示している。以下の図８〜図１１においても同様である。
【０１０１】
図７に示されるように。ＰＶパネル４０の表面の温度は、タンクシステム１００に貯水される水よりも温度が高い。例えば、真夏の日中においては、ＰＶパネルの表面の温度は６０℃〜７０℃程度の温度である。
【０１０２】
次に、制御部２２０は、第１のポンプ１７０を駆動することにより散布部５０からＰＶパネル４０に水を散布する（図６のＳ３０５）。ステップＳ３０５の動作を模式的に示した図が図８及び図９である。
【０１０３】
例えば、真夏の日中においては、散布部５０がＰＶパネル４０に水を散布することにより、ＰＶパネル４０の表面の温度は、５０℃程度にまで低下する。ＰＶパネル４０の表面の温度が２０℃程度低下した場合、ＰＶパネル４０の発電効率は、１５％程度上昇することが確かめられている。
【０１０４】
また、この場合、ＰＶパネル４０上を流れて第１の注水路１４０に注水される水の温度は４０℃〜４５℃程度である。したがって、第１の貯水タンク１１０に貯水された水は、上記第１の注水路１４０に注水される水と熱交換を行い、少なくとも３５℃程度まで予熱される。
【０１０５】
散布部５０によりＰＶパネル４０に水を散布している間、制御部２２０は、日射計６０が測定した日射量と、ＰＶパネル発電電力計２２４が測定した発電量とを取得し（図６のＳ３０６）、ステップＳ３０２と同様にＰＶパネル４０の冷却が必要であるか否かを判断する（図６のＳ３０７）。ＰＶパネル４０の冷却が必要である場合（図６のＳ３０７でＹｅｓ）、ステップＳ３０３〜ステップＳ３０６の動作が繰り返される。
【０１０６】
予熱された第１の貯水タンク１１０内の水は、断熱材２４０及び第１の貯水タンク１１０自体の断熱構造により、保温される。したがって、図１０に示されるように、住宅内で温水を使用する場合に、予熱された水を給湯器３０で沸かすことになるため、給湯器３０において使用されるガスまたは電気を低減することができる。
【０１０７】
また、図１１に示されるように第２の貯水タンク１２０に貯水された水は、トイレ２６０の排水等に用いることで有効活用できる。
【０１０８】
以上説明したように、本発明に係るタンクシステム１００によれば、建物の外壁上を流れる水温の高い水は、第１の注水路１４０を流れる間に確実に第１の貯水タンク１１０に貯水されている水と熱交換することができる。また、第１の貯水タンク１１０に貯水された水は、建物の外壁上を流れる水温の高い水が繰り返し第１の注水路１４０に流れることにより、第１の貯水タンク１１０に貯水された水道水を十分に予熱することが可能となる。
【０１０９】
（実施の形態２）
以下、本発明の実施の形態２について、図面を用いて詳細に説明する。
【０１１０】
実施の形態２では、制御部２２０による散布部５０を用いた水の散布の別の制御例、及び制御部２２０による切替部２１０の切替制御の別の例について説明する。なお、以下の実施の形態２では、特に断りのない限りタンクシステムの構成等は、実施の形態１で説明したものと同様であるとする。
【０１１１】
図１２は、ＰＶパネル４０の温度と時間との関係を示す図である。
【０１１２】
散布部５０による水の散布を行わない場合、ＰＶパネル４０の温度と時間との関係は、図１２の（１）で示されるような関係となる。図１２の（１）は、日の出から時間が経過するに連れて太陽の日射量が増加し、それに伴いＰＶパネル４０の温度が上昇していることを示している。
【０１１３】
一方、図１２の（２）は、本発明のタンクシステムにおいて散布部５０によりＰＶパネル４０に常時水を散布した場合のＰＶパネルの温度と時間との関係を示す。
【０１１４】
図１２の（２）で示されるように、一定量の水量を常時散布した場合、ＰＶパネル４０の温度と散布する水の温度が平衡状態となるため、ＰＶパネル４０の温度は、散布する水温とほぼ同じ温度となる。ここで、ＰＶパネル４０に水を散布することにより回収できる熱量は、散布される水の水量にはよらないため、ＰＶパネル４０に散布される水の水量が少ないほど、第１の注水路１４０に注水される水の温度は高くなる。第１の注水路１４０に注水される水の温度が高いほど、第１の貯水タンク１１０内に貯水された水は、効率的に予熱される。
【０１１５】
図１３は、ＰＶパネル４０に散布される水量とＰＶパネル４０の発電効率、及び熱の取り出し効率との関係を示す図である。ここで、熱の取り出し効率とは、ＰＶパネル４０に散布された水による第１の貯水タンク１１０内に貯水された水の温度上昇の効率を示す数字である。
【０１１６】
図１３に示されるように、ＰＶパネル４０に散布される水の水量が多いほど、ＰＶパネル４０を十分に冷却できるためＰＶパネル４０の発電効率３３０は高まる。しかしながら、ＰＶパネル４０に散布される水の水量が多いほど、第１の注水路１４０に注水される水の水温は低くなるため、熱の取り出し効率３４０は低下する。
【０１１７】
そこで、実施の形態２では、ＰＶパネル４０に間欠的に水を散布することによって散布する水量を最適化し、雨樋２００から切替部２１０に流入する水（以下、回収される水とも記載する）、すなわち、ここでは第１の注水路１４０に注水される水の水温をある程度高い温度に保つ制御方法について説明する。
【０１１８】
１．散布部５０を用いた水の散布の別の制御例
まず、回収される水の温度に基づいて制御部２２０が散布部５０の水の散布を制御する例について説明する。
【０１１９】
図１４は、回収される水の温度に基づく制御部２２０の水の散布の制御を表すフローチャートである。
【０１２０】
まず、制御部２２０は、ＰＶパネル４０の温度を取得する（Ｓ５０１）。具体的には、ＰＶパネル温度計２２３が測定した温度を取得する。
【０１２１】
ＰＶパネル４０の温度が第１の温度（ＯＮ温度）以上である場合（Ｓ５０２でＹｅｓ）、制御部２２０は、散布部５０によるＰＶパネル４０への水の散布を開始する（Ｓ５０３）。
【０１２２】
続いて、制御部２２０は、ＰＶパネル４０の温度を取得し（Ｓ５０４）、制御部２２０は、ＰＶパネル４０の温度が第２の温度（ＯＦＦ温度）以下である場合（Ｓ５０５でＹｅｓ）、散布部５０によるＰＶパネル４０への水の散布を停止する（Ｓ５０６）。
【０１２３】
これにより、図１２の（３）で示されるように、ＰＶパネル４０の温度を常に所定の温度内に制御することができ、かつ、回収される水の温度をある程度高い温度に保つことができる。
【０１２４】
なお、ＯＮ温度とＯＦＦ温度とは、ＰＶパネル４０の温度を下げることにより発電効率が改善して得られるエネルギーの量と、回収される水により削減される給湯器で消費するエネルギーの量とを比較考慮して設定される。
【０１２５】
例えば、ＯＦＦ温度は、第１の貯水タンク１１０に貯水された水の目標温度とする。第１の貯水タンク内の水の温度より低い水を第１の注水路１４０に注水すると、第１の貯水タンク１１０に貯水された水を冷却することになるからである。ＯＮ温度は、例えば、ＯＦＦ温度＋１０℃程度とする。
【０１２６】
このようにＯＮ温度とＯＦＦ温度とを設定し、ＰＶパネル４０に間欠的に水を散布することで、ＰＶパネル４０の温度を一定値以下にし、なおかつ高い温度の水を第１の注水路に注水することができる。
【０１２７】
なお、ＯＮ温度は、ＰＶパネル４０に散布される前の水の温度と、回収される水の温度（散布後の水の温度）との差が所定の値となるように動的に設定されてもよい。
【０１２８】
例えば、上記所定の値が１０℃である場合、散布前の水の温度が２５℃であるときは、ＯＮ温度は３５℃に設定され、散布前の水の温度が５℃であるときは、ＯＮ温度は１５℃に設定される。散布前の水の温度は、気温の影響を受けて変化するため、このように動的にＯＮ温度を設定することは有効である。
【０１２９】
２．切替部２１０の切替制御の別の例
次に、回収される水の温度に基づいて制御部２２０が切替部２１０の切替を制御する例について説明する。制御部２２０が切替部２１０を適切に切替えることにより、上記熱の取り出し効率をさらに高めることも可能である。
【０１３０】
図１５は、実施の形態２に係る制御部２２０による切替部２１０の切替制御を説明するための図である。
【０１３１】
図１５の（ａ）は、間欠的に水を散布した状態におけるＰＶパネル４０の温度（≒回収される水の温度）を示す。図１５の（ｂ）は、第１の貯水タンク１１０に貯水された水の温度を示す。
【０１３２】
図１５の（ａ）に示されるように、ＰＶパネル４０に間欠的に水が散布されると、ＰＶパネルの温度は、下降と上昇とを繰り返す。このとき、ＰＶパネル４０への水の散布を開始した直後に回収される水の温度は、水の散布を開始してから所定の時間経過後に回収される水の温度と異なる。例えば、水の散布直後に回収される水の温度は６０℃程度であったとしても、数分間水を散布した後に回収される水の温度は、散布した水の温度近くまで低下する。
【０１３３】
したがって、回収される水の温度が第１の貯水タンク１１０に貯水されている水の水温以上の場合、第１の注水路１４０に水を流入させると第１の貯水タンク１１０に貯水されている水の温度は上昇する。一方、回収される水の温度が第１の貯水タンク１１０に貯水されている水の水温未満の場合、第１の貯水タンク１１０に貯水されている水を第１の注水路に流入させると、第１の貯水タンク１１０に貯水されている水の温度は、低下する。
【０１３４】
このため、図１５で示される制御方式では、第１の貯水タンク１１０内の水の温度及び回収された水の温度を常にモニタし、切替部２１０を切り替える。
【０１３５】
図１５の切替部２１０の切替状態において（１）と記載された期間は、回収される水が第１の注水路１４０に注水されるように切替部が切替えられた期間を示し、（２）と記載された期間は、回収される水が第２の注水路１５０に注水されるように切替部２１０が切替えられた期間を示す。
【０１３６】
回収される水の温度が第１の貯水タンク１１０の水の温度以上である場合、制御部２２０は、切替部２１０を切替えることにより、回収される水を第１の注水路１４０に注水する。回収される水の温度が第１の貯水タンク１１０内の水の温度未満のときは、制御部２２０は、切替部２１０を切替えることにより、回収される水を第２の注水路１５０に注水する。
【０１３７】
これにより、第１の注水路には、常に第１の貯水タンク１１０内の水よりも温度が高い水が注水されるため、第１の貯水タンク１１０内の水の温度を常に上昇させ、または温度を高い状態に保つことができる。
【０１３８】
次に、図１５で示される制御の詳細について、図１６を用いて説明する。
【０１３９】
図１６は、実施の形態２に係る制御部２２０による切替部２１０の切替制御のフローチャートである。
【０１４０】
まず、制御部２２０は、ＰＶパネル４０の温度を取得する（Ｓ６０１）。具体的には、ＰＶパネル温度計２２３が測定した温度を取得する。
【０１４１】
ＰＶパネル４０の温度が第１の温度（ＯＮ温度）以上である場合（Ｓ６０２でＹｅｓ）、制御部２２０は、ＰＶパネル４０上を流れた水が第１の注水路１４０に注水されるように切替部２１０を切り替える（Ｓ６０３）。その後、制御部２２０は、散布部５０によるＰＶパネル４０への水の散布を開始する（Ｓ６０４）。
【０１４２】
ステップＳ６０１〜ステップＳ６０４の動作は、具体的には、太陽が照射し始めた朝、貯水タンクの水の温度は低い場合は、水の散布を行わず、ＰＶパネルが所定の温度以上に達した水の散布を開始することを意味する。
【０１４３】
ここで、水の散布直後に回収される水の温度は貯水している水の温度より高いため、全て分岐部により第１の注水路１４０に注水され、第１の貯水タンク１１０内の水は、加熱されるため、温度が上昇する。
【０１４４】
続いて、制御部２２０は、第１の貯水タンク１１０内の水の温度を取得し（Ｓ６０５）、回収される水の温度を取得する（Ｓ６０６）。具体的には、制御部２２０は、第１の水温計２２５が測定した第１の貯水タンク１１０内の水の温度を取得する。また、制御部２２０は、切替部２１０に設けられた第３の水温計が測定した回収される水の温度を取得する。
【０１４５】
回収される水の温度が第２の温度（ＯＦＦ温度）以下でない場合（Ｓ６０７でＮｏ）、制御部２２０は、第１の貯水タンク１１０内の水の温度と、回収される水の温度とを比較する（Ｓ６０８）。第１の貯水タンク１１０内の水の温度が、回収される水の温度よりも高い場合、制御部２２０は、ＰＶパネル４０上を流れた水が第２の注水路１５０に注水されるように切替部２１０を切り替える（Ｓ６０９）。
【０１４６】
制御部２２０は、回収される水の温度が第２の温度（ＯＦＦ温度）以下である場合（Ｓ６０７でＹｅｓ）、散布部５０によるＰＶパネル４０への水の散布を停止する（Ｓ６１０）。
【０１４７】
これにより、常に第１の注水路１４０には、第１の貯水タンク１１０内の水の温度より高い温度の水を流入させることができる。
【０１４８】
なお、切替部２１０を切替えることなく、回収される水の温度が第１の貯水タンク１１０に貯水されている水の温度と等しくなった時点で水の散布を停止してもよい。すなわち、回収される水の温度が第１の貯水タンク１１０に貯水されている水の温度よりも高いときのみ水の散布を行ってもよい。
【０１４９】
（実施の形態３）
以下、本発明の実施の形態３について、図面を用いて詳細に説明する。
【０１５０】
例えば、実施の形態２のように、ＰＶパネル４０に間欠的に水を散布した場合、回収される水の一部は、第１の注水路１４０内に長時間滞留することがある。この状態で、高い温度の水を第１の注水路１４０内に注水すると、第１の注水路１４０内に滞留している水と混じり、熱を奪われるため効率的でない。
【０１５１】
そこで、実施の形態３では、第１の注水路１４０内に長時間水が滞留しないように、ポンプにより第１の注水路１４０内に滞留した水の水抜きを行う。
【０１５２】
図１７は、実施の形態３に係るタンクシステムの貯水タンク部分の模式図である。
【０１５３】
図１７に示されるように、実施の形態３に係るタンクシステムでは、第１の注水路１４０は、第２の切替部３７０を介して第１の水路４１０及び第２の水路４２０と接続される。
【０１５４】
第２の切替部３７０は、ＰＶパネル４０の上を流れた水が第１の注水路１４０から第１の水路４１０に注水されるか、第２の水路４２０に注水されるかを切り替える。ここで、第１の注水路１４０から第１の水路４１０に注水された水は、第２の貯水タンク１２０に貯水される。
【０１５５】
第２の水路４２０は、第３の切替部３８０を介して第４のポンプ３９０の入力端、及び第３の水路４３０に接続される。
【０１５６】
第３の切替部３８０は、第４のポンプ３９０の入力端に、第２の水路４２０から水が注水されるか、第３の水路４３０から水が注水されるかを切り替える。
【０１５７】
第４のポンプ３９０は、第１の注水路１４０内に滞留した水の水抜き、及び散布部５０による水の散布の際に第３の水路４３０を通じて第２の貯水タンク１２０から水を汲み上げるために用いられる。
【０１５８】
第４のポンプ３９０の出力端は、第４の切替部４５０を介して散布部５０及び第４の水路４４０と接続される。
【０１５９】
第４の切替部４５０は、第４のポンプ３９０が第３の水路４３０から汲み上げた水を散布部５０に供給するか、第４の水路４４０に注水するかを切り替える。ここで、第４の水路４４０に注水された水は、第２の貯水タンク１２０に貯水される。
【０１６０】
以下、図１７に示されるタンクシステムの制御方法について説明する。
【０１６１】
図１８は、通常循環時の水の流れを表す図である。
【０１６２】
図１８に示されるように、通常循環時には、制御部２２０は、第１の注水路１４０からの水が第１の水路４１０に注水されるように第２の切替部３７０を切り替える。
【０１６３】
また、制御部２２０は、第３の水路４３０からの水が第４のポンプ３９０の入力端に注水されるように第３の切替部３８０を切り替える。同様に、制御部２２０は、第４のポンプ３９０が第３の水路４３０から汲み上げた水を散布部５０に供給するように第４の切替部４５０を切り替える。
【０１６４】
次に、第１の注水路１４０に滞留した水を抜く制御について説明する。
【０１６５】
図１９は、第１の注水路１４０に滞留した水を抜く場合の水の流れを表す図である。
【０１６６】
図１９に示されるように、水抜き制御時には、制御部２２０は、第１の注水路１４０からの水が第２の水路４２０に注水されるように第２の切替部３７０を切り替える。
【０１６７】
また、制御部２２０は、第２の水路４２０からの水が第４のポンプ３９０の入力端に注水されるように第３の切替部３８０を切り替える。同様に、制御部２２０は、第４のポンプ３９０が第２の水路４２０から注水される水を第４の水路４４０に注水するように第４の切替部４５０を切り替える。
【０１６８】
これにより、第１の注水路１４０に滞留している水は、第４のポンプ３９０により第２の水路４２０を通じて吸引され、第４の水路４４０を通じて第２の貯水タンク１２０へ排出される。
【０１６９】
第１の注水路１４０の水抜き制御は、制御部２２０が、第１の注水路１４０に水が所定の時間以上滞留して、当該滞留した水が、第１の貯水タンク１１０内の水の温度と同程度の温度になったと判断した場合（所定の時間以上、水の散布が行われない場合）に実施される。
【０１７０】
また、長時間第１の注水路１４０に水を滞留させておくと、雑菌等が繁殖するため、水抜き制御は、定期的に実行してもよい。
【０１７１】
以上のように、散布部５０の水の散布前に第１の注水路１４０に滞留した水を抜くことで、散布当初の温度の高い水をさらに効率的に利用することができる。
【０１７２】
なお、上記の例では、いわゆる三方弁である第２の切替部３７０、及び第３の切替部３８０を組み合わせたが、この組み合わせに係る部分４６０は、２入力２出力の一の切替部によっても実現可能である。
【０１７３】
また、上記の例では、切替部をさらに３つ（第２〜第４の切替部）設けたが、切替部を追加することなく水抜き制御を行うことも可能である。
【０１７４】
図２３は、２つのポンプで水抜き制御を実施するタンクシステムの模式図である。
【０１７５】
図２０に示されるタンクシステムでは、第１の注水路１４０の第２の貯水タンク１２０内の端には、第５のポンプ４７０の入力端が接続される。第５のポンプの出力端は、開放され、水抜き制御により引き抜かれた水は、直接第２の貯水タンク１２０に放出される。
【０１７６】
また、第６のポンプ４８０は、第２の貯水タンク１２０の水を汲み上げて散布部５０に供給する。
【０１７７】
このような方式でも、第１の注水路１４０に長時間滞留した水を引き抜くことができる。図２０に示される構成では、第５のポンプ４７０及び第６のポンプ４８０は、独立して動作可能であり、第１の注水路１４０に滞留した水を抜きながら、散布部５０に水を供給することもできる。
【０１７８】
（実施の形態４）
ＰＶパネル４０の温度の測定方法の別の例として、散布前の水の温度と、回収される水（散布後の水）の温度差からＰＶパネル４０の温度を推定することも可能である。実施の形態４では、このような温度測定方法を用いた制御について説明する。
【０１７９】
例えば、ＰＶパネル４０の施工後に、本発明のタンクシステムを後付けで設置する場合、ＰＶパネル温度計２２３を事後的に取り付けることが困難な場合がある。そこで、以下の制御では、散布前の水の温度と、回収される水（散布後の水）の温度差からＰＶパネル４０の温度を推定する。なお、以下の説明では、特に断りのない限りタンクシステムの構成等は、実施の形態２で説明したものと同様であるとする。
【０１８０】
図２１は、実施の形態４に係る制御部２２０による切替部２１０の切替制御のフローチャートである。なお、図２１に示されるフローチャートは、日中（日射時間内）、ＰＶパネルが所定の温度以上に達したときのみ水の散布の制御を行う場合の一例である。
【０１８１】
まず、制御部２２０は、制御部２２０に内蔵されたタイマーから現在時刻を確認し（Ｓ７０１）、現在時刻が所定の日射時間内であるか否かを判断する（Ｓ７０２）。所定の日射時間は、１日のうち安定した日射量が期待できる時間帯であり、設計によりあらかじめ決められた時間帯である。
【０１８２】
現在時刻が日射時間内である場合（Ｓ７０２でＹｅｓ）、制御部２２０は、前回の温度測定時から所定の時間が経過しているか否かを判断する（Ｓ７０３）。短時間に再度の温度測定を行ったとしてもＰＶパネル４０の温度の変化は小さく、効率的でないからである。
【０１８３】
次に、制御部２２０は、散布前の水の温度を取得する（Ｓ７０４）。具体的には、制御部２２０は、第２の水温計２２６で測定した温度を取得する。なお、制御部２２０は、第１のポンプ１７０部分に別途、第４の水温計を設け、当該第４の水温計によって測定した温度を取得してもよい。
【０１８４】
続いて、制御部２２０は、ＰＶパネル４０の温度を測定するために水のテスト散布を行い（Ｓ７０５）、テスト散布された水であってＰＶパネル４０上を流れて切替部２１０に流入する水（回収される水）の温度を取得する（Ｓ７０６）。具体的には、例えば、制御部２２０は、切替部２１０に設けた第３の水温計によって測定した温度を取得する。
【０１８５】
次に、制御部２２０は、ステップＳ６０３において取得した散布前の水の温度と、ステップＳ７０６において取得した回収される水の温度とを比較し、ＰＶパネル４０の温度を推定する（Ｓ７０７）。ＰＶパネル４０の温度は、ＰＶパネル４０の熱容量、散布前の水の温度及び回収される水の温度の温度差、及び散布した水の水量に基づいて推定される。
【０１８６】
ＰＶパネル４０の温度が第１の温度以上である場合（Ｓ７０８でＹｅｓ）、制御部２２０は、散布部５０によるＰＶパネル４０への水の散布を開始する（Ｓ７０９）。
【０１８７】
続いて、制御部２２０は、回収される水の温度を取得し（Ｓ７１０）、ＰＶパネル４０の温度を推定する（Ｓ７１１）。制御部２２０は、ステップＳ７０４において取得した散布前の水の温度との温度差に基づき、ステップＳ７０７と同様にＰＶパネル４０の温度を推定する。なお、ここでは、ＰＶパネル４０の温度≒回収される水の温度としてもよい。
【０１８８】
制御部２２０は、推定したＰＶパネル４０の温度が第２の温度以下である場合（Ｓ７１２でＹｅｓ）、散布部５０によるＰＶパネル４０への水の散布を停止する（Ｓ７１３）。制御部２２０は、回収される水の温度が第２の温度より高い場合（Ｓ７１２でＮｏ）、散布部５０によるＰＶパネル４０への水の散布をしながら、ステップＳ７１０及びステップＳ７１１の温度の推定処理を行う。
【０１８９】
これにより、ＰＶパネル４０の温度を直接測定できないような場合であっても、ＰＶパネル４０の温度を推定することができる。
【０１９０】
（その他の実施の形態）
散布部５０による水の散布により、屋根７０に複数設けられたＰＶパネル４０の冷却をさらに効率的に行う方法について説明する。
【０１９１】
ＰＶパネル４０に散布された水は、屋根７０の斜面上側に設けられたＰＶパネル４０に散布され、斜面に沿って流れる。このとき、ＰＶパネル４０に散布された水は、風によって流されるため、斜面の傾斜方向に垂直な方向において、散布された水の量が不均一となりやすい。すなわち、斜面の傾斜方向に垂直な方向において、複数のＰＶパネル４０全体を均一に冷却することが難しい。そこで、ＰＶパネル４０に次のような工夫を行ってもよい。
【０１９２】
図２２は、ＰＶパネル４０の外観図である。図２２において、Ｙ方向は、ＰＶパネル４０が設けられる斜面（屋根７０）の傾斜方向であり、Ｘ方向は、斜面の傾斜に垂直な方向である。図２２の（ａ）は、ＰＶパネル４０を受光面に垂直な方向から見た図であり、図２２の（ｂ）は、ＰＶパネル４０の側面をＸ方向から見た図である。図２２の（ｃ）は、ＰＶパネル４０を図２２の（ａ）のＸ１−Ｘ２線で切断した場合の断面図である。
【０１９３】
一のＰＶパネル４０の周縁には、額縁状にフレーム４９０が設けられる。ここで、フレーム４９０のうち、ＰＶパネル４０の斜面の傾斜方向に走る２つの辺を覆う部分の上面（ＰＶパネル４０の受光面側）には、それぞれ、斜面の傾斜方向に沿って凸部５００が設けられる。
【０１９４】
これにより、ＰＶパネル４０に散布された水が、風により凸部５００を越えて隣接する別のＰＶパネル４０の方向に流されることを防止することができる。
【０１９５】
また、ＰＶパネル４０の冷却を効率よく行うためには、散布された水が、斜面上側に設けられたＰＶパネル４０の受光面から斜面下側に設けられたＰＶパネル４０の受光面までロスすることなく流れる（気化による蒸発を除く）ことが理想である。このようなロスにより、斜面下側に設けられたＰＶパネル４０上を流れる水の量が少なくなるため、斜面下側に設けられたＰＶパネル４０の冷却が不十分となりやすいからである。したがって、ＰＶパネル４０とフレーム４９０との隙間にはパッキンが設けられる。
【０１９６】
図２３は、図２２の（ｃ）の破線で囲った部分の拡大図である。
【０１９７】
図２３に示されるように、フレーム４９０のうちＰＶパネル４０の斜面の傾斜方向に走る２つの辺を覆う部分の断面は、いわゆるブラケット形状である。ＰＶパネル４０と、フレーム４９０のうちＰＶパネル４０の斜面の傾斜方向に走る２つの辺を覆う部分との間には、隙間がある。ここから散布された水が漏れてしまうことを防止するために、当該隙間には、パッキン５１０が設けられる。パッキン５１０の材料は、ゴムや、皮革などである。
【０１９８】
また、一のＰＶパネル４０のフレーム４９０と、これに隣接するＰＶパネル４０のフレーム４９０との間からも水が漏れてしまう恐れがある。したがって、このような隣接するフレーム間には、コーキング処理（コーキング材の充填）がされる。
【０１９９】
図２４は、フレーム間のコーキング処理部分を示す図である。図２４の（ａ）は、ＰＶパネル４０を受光面に垂直な方向から見た図であり、図２４の（ｂ）は、ＰＶパネル４０を図２４の（ａ）のＸ３−Ｘ４線で切断した場合の断面図である。
【０２００】
図２４で示されるように、フレーム間には、コーキング材５２０が充填される。コーキング材５２０は、例えば、シリコン系の樹脂、変性シリコン系の樹脂、またはポリウレタン系の樹脂などである。
【０２０１】
以上、説明したように、パッキン５１０またはコーキング材５２０を用いることにより、散布された水のロスを低減し、散布された水によりＰＶパネル４０を効率よく冷却することができる。
【０２０２】
なお、本実施の形態のように、斜面上側に設けられたＰＶパネル４０に水を散布する場合、斜面下側に設けられたＰＶパネル４０の冷却は不十分になりやすい。斜面上側に設けられたＰＶパネル４０に散布された水は、斜面下側に設けられたＰＶパネル４０上を通過する際には、斜面上側に設けられたＰＶパネル４０の熱により、加温されているからである。
【０２０３】
したがって、例えば、制御部２２０は、周期的に散布部５０の水圧を高めてＰＶパネル４０に水を散布することにより、斜面下側に設けられたＰＶパネル４０に対して直接水を散布してもよい。
【０２０４】
（変形例）
以下、タンクシステムの変形例について説明する。
【０２０５】
これまで説明してきたように、第１の貯水タンク１１０に貯水される水の温度は、なるべく高く保つべきであるが、第２の貯水タンク１２０に貯水される水の温度は、なるべく低いことが望ましい。なぜなら、第２の貯水タンク１２０に貯水される水は、散布部によってＰＶパネル４０及び屋根７０に散布されることにより、ＰＶパネル４０及び屋根７０を冷却するために用いられるからである。したがって、第２の貯水タンク１２０は放熱構造をとってもよい。
【０２０６】
図２５は、第２の貯水タンク１２０が放熱構造をとる場合のタンクシステムの模式図である。なお、図中の符号のうち、図７〜図１１に示される符号と同一の符号については、特に説明のない限り、同一の機能及び動作をするものとして説明が省略される。
【０２０７】
図２５に示されるように、タンクシステム３００において、第２の貯水タンク１２０の側面には、放熱部２７０が設けられてもよい。放熱部２７０は、いわゆる放熱フィンであり、第２の貯水タンク１２０の外気と触れる部分の表面積を増大するものである。放熱部２７０は、第２の貯水タンク１２０と一体であるように形成されても良いし、第２の貯水タンク１２０とは別の放熱性の高い部材である放熱部２７０が、第２の貯水タンク１２０に付加されてもよい。
【０２０８】
このように、第２の貯水タンク１２０に放熱部２７０が設けられることにより、第２の貯水タンクに貯水される水の温度を下げ、散布部５０の水の散布によるＰＶパネル４０及び屋根７０の冷却効果を高めることができる。
【０２０９】
次に、タンクシステムの別の変形例について説明する。
【０２１０】
第２の貯水タンク１２０に貯水された水を散布部５０の水の散布によってＰＶパネル４０に散布した場合、水の散布を開始した直後は、ＰＶパネル４０表面のゴミや埃が水とともに第１の注水路１４０に流れ込むこととなる。ここで、第１の注水路１４０は、熱交換器としての機能を高める目的で、第２の注水路１５０よりも水路長が長く、また水路径が小さい構造が好ましい。したがって、ゴミ等を含む水が第１の注水路１４０に流れ込むことは、第１の注水路１４０が詰まる原因となり、好ましくない。
【０２１１】
したがって、タンクシステムにおいて、以下の図２６及び図２７で示されるような構成をとってもよい。
【０２１２】
図２６は、第２の貯水タンク１２０が複数の貯水部からなる場合のタンクシステム４００の模式図である。なお、図中の符号のうち、図７〜図２５に示される符号と同一の符号については、特に説明のない限り、同一の機能及び動作をするものとして説明が省略される。
【０２１３】
図２７は、タンクシステム４００の動作のフローチャートである。
【０２１４】
図２６に示されるタンクシステム４００では、上記ゴミ等を含む水が第１の注水路１４０に流れ込むことを防止する制御を制御部２２０が行うと共に、第２の貯水タンク１２０が第１の貯水部１２０ａと第２の貯水部１２０ｂとに分離されていることが特徴である。
【０２１５】
まず、制御部２２０は、日射計６０が測定した日射量と、ＰＶパネル発電電力計２２４が測定した発電量とを取得し（図２７のＳ４０１）ＰＶパネル４０が冷却される必要があるか否かを判断する（図２７のＳ４０２）。ＰＶパネル４０が冷却される必要がある場合（図２７のＳ４０２でＹｅｓ）、制御部２２０は、ＰＶパネル４０及び屋根７０上を流れた水が第２の注水路１５０に注水されるように切替部２１０を切り替える（図２７のＳ４０３）。
【０２１６】
そして、制御部２２０は、第１及び第２の水量計が測定した水量を取得する（図２７のＳ４０４）。水量があらかじめ設定された所定の水量未満である場合は、第１及び第２の貯水バルブの開閉を制御し、第１及び第２の貯水タンクに注水する（図２７のＳ４０５）。以上の動作は、ステップＳ４０３を除いて図６のステップＳ３０１〜Ｓ３０４で説明した動作と同様である。
【０２１７】
そして、制御部２２０は、第１のポンプ１７０を駆動することにより散布部５０からＰＶパネル４０に水を散布する（図２７のＳ４０６）。このとき、注水（水の散布）を開始してから所定の時間が経過するまでは（図２７のＳ４０７でＮｏ）、第２の注水路１５０に注水される。ここで、図２６で示されるように、第２の注水路１５０は、第２の貯水部１２０ｂに接続されているため、ＰＶパネル４０及び屋根７０上を流れた水は、第２の注水路１５０から第２の貯水部１２０ｂに注水される。なお、第２の貯水部１２０ｂに貯水された水を使用する場合は、第３の供給部２８０から水を取得して使用する。
【０２１８】
散布部５０が水を散布している間、制御部２２０は、日射計６０が測定した日射量と、ＰＶパネル発電電力計２２４が測定した発電量とを取得する（図２７のＳ４０９）。ＰＶパネル４０の冷却が必要である場合（図２７のＳ４１０でＹｅｓ）、ステップＳ４０７を除いたステップＳ４０４〜ステップＳ４０９の動作が繰り返される。
【０２１９】
上記ステップＳ４０４〜ステップＳ４０９の動作が繰り返されている間において、注水（水の散布）を開始してから所定の時間が経過した場合（図２７のＳ４０７でＹｅｓ）、制御部２２０は、ＰＶパネル４０及び屋根７０上を流れた水が第１の注水路１４０に注水されるように切替部２１０を切り替える（図２７のＳ４０８）。このとき、図２６で示されるように、第１の注水路１４０は、第１の貯水部１２０ａに接続されているため、ＰＶパネル４０及び屋根７０上を流れた水は、第１の注水路１４０から第１の貯水部１２０ａに注水される。なお、第１の貯水部１２０ａに貯水された水を使用する場合は、第２の供給部１２１から水を取得して使用する。
【０２２０】
以降の動作は、所定の時間が経過する前と同様である。ＰＶパネル４０の冷却が不要となるまで（図２７のＳ４１０でＮｏ）、ステップＳ４０４〜ステップＳ４０９の動作が繰り返される。
【０２２１】
以上、図２７のような制御を行うことにより、ゴミ等を含む水が第１の注水路１４０に流れ込み、第１の注水路１４０が詰まる危険性を低減することができる。
【０２２２】
また、図２６に示されるように、第２の貯水タンク１２０が第１の貯水部１２０ａと第２の貯水部１２０ｂとに分離されることで、第１の貯水部１２０ａ内の水質は、第２の貯水部１２０ｂ内の水質よりも高くなる。したがって、第２の貯水タンク１２０内の水を用途に応じて区別して利用することができる。また、第２の貯水タンク１２０が分離されない場合と比較した場合、第１の貯水部１２０ａ内は、不純物やゴミなどが少ない。
【０２２３】
（変形例２）
上記各実施の形態、及び各変形例に係るタンクシステムは、建物の外壁上を流れる水温の高い水を第１の注水路に注水し、第１の注水路に注水された水と、第１の貯水タンクに貯水されている水とで熱交換を行い、第１の貯水タンクに貯水される水道水を温める構成であった。
【０２２４】
ここで、反対に、第１の貯水タンクに熱せられた水道水を貯水し、第１の注水路と熱交換を行うことで、第１の注水路を通過する水を温めることも可能である。
【０２２５】
すなわち、上記各実施の形態、及び各変形例に係るタンクシステムは、第１の注水路を通ることによって温められた水を第２の貯水タンクに貯め、第１のポンプで汲み上げ、散布部によって建物の外壁上に散布することができる。これにより、タンクシステムは、例えば、建物の外面上の雪を融雪する融雪処理を行うことができる。
【０２２６】
以下の説明では、実施の形態１に係るタンクシステム１００の融雪処理について、図２８〜図３１を用いて詳細に説明する。
【０２２７】
図２８〜図３１は、タンクシステム１００の融雪処理を説明するための模式図である。
【０２２８】
まず、図２８に示されるように、第１の貯水タンク１１０に、第１の注水部１８０から熱せられた水道水が注水されて貯められる。このとき、第１の貯水タンク１１０に注水される水は、給湯器等で熱せられた温度の高い水道水（温水）である。また、このとき、第２の貯水タンク１２０には、温度の低い水が貯水されている。
【０２２９】
次に、図２９に示されるように、制御部２２０は、第２の貯水タンク１２０に貯水された水を第１のポンプ１７０で汲み上げることにより、散布部５０によってＰＶパネル４０に散布する。これにより、ＰＶパネル４０上を流れた水は、雨樋２００、切替部２１０、フィルタ１６０をこの順に通り、第１の注水路１４０に注水される。
【０２３０】
このとき、第１の注水路１４０に注水された水は、第１の貯水タンク１１０に貯水された水と、熱交換を行う。つまり、図３０に示されるように、第１の注水路１４０に注水された水は、当該第１の注水路１４０を通過中に第１の貯水タンク１１０内に貯水された温水により熱せられて、第２の貯水タンク１２０に貯水される。
【０２３１】
そして、図３１に示されるように、制御部２２０は、第２の貯水タンク１２０に貯水された熱せられた水を第１のポンプ１７０で汲み上げることにより、散布部５０によってＰＶパネル４０に散布する。ＰＶパネル４０上を流れた水は、雨樋２００、切替部２１０、フィルタ１６０をこの順に通り、第１の注水路１４０に注水される。以降、同様の動作が繰り返される。
【０２３２】
以上の動作により、建物の外壁（例えば、ＰＶパネル４０）上に雪が積もっているような場合に、第１の貯水タンク１１０に貯水される水道水によって温められた水を建物の外壁上に散布し、建物の外面上の雪を融雪することができる。また、ＰＶパネル４０上に積雪しているような場合には、ＰＶパネル４０による発電効率が低下する。このような場合に、上記のような融雪処理が、有効である。
【０２３３】
以上、本発明を上記実施の形態及び変形例に基づいて説明してきたが、本発明は、上記の実施の形態に限定されない。
【０２３４】
例えば、第１の注水路１４０は、第１の貯水タンク１１０の外側に設けられてもよい。具体的には、例えば、第１の注水路１４０は、第１の貯水タンクの側面に巻きつくように設けられてもよい。このような構成によっても、建物の外壁上を流れる水温の高い水は、第１の注水路１４０を流れる間に第１の貯水タンク１１０に貯水されている水と熱交換することができる。
【０２３５】
また、以下のような場合も本発明に含まれる。
【０２３６】
（１）上記の各装置は、具体的には、マイクロプロセッサ、ＲＯＭ、ＲＡＭ、ハードディスクユニット、ディスプレイユニット、キーボード、マウスなどから構成されるコンピュータシステムで実現され得る。ＲＡＭまたはハードディスクユニットには、コンピュータプログラムが記憶されている。マイクロプロセッサが、コンピュータプログラムにしたがって動作することにより、各装置は、その機能を達成する。ここでコンピュータプログラムは、所定の機能を達成するために、コンピュータに対する指令を示す命令コードが複数個組み合わされて構成されたものである。
【０２３７】
（２）上記の各装置を構成する構成要素の一部または全部は、１個のシステムＬＳＩ（Ｌａｒｇｅ  Ｓｃａｌｅ  Ｉｎｔｅｇｒａｔｉｏｎ：大規模集積回路）から構成されているとしてもよい。システムＬＳＩは、複数の構成部を１個のチップ上に集積して製造された超多機能ＬＳＩであり、具体的には、マイクロプロセッサ、ＲＯＭ、ＲＡＭなどを含んで構成されるコンピュータシステムである。ＲＯＭには、コンピュータプログラムが記憶されている。マイクロプロセッサが、ＲＯＭからＲＡＭにコンピュータプログラムをロードし、ロードしたコンピュータプログラムにしたがって演算等の動作することにより、システムＬＳＩは、その機能を達成する。
【０２３８】
（３）上記の各装置を構成する構成要素の一部または全部は、各装置に脱着可能なＩＣカードまたは単体のモジュールから構成されてもよい。ＩＣカードまたはモジュールは、マイクロプロセッサ、ＲＯＭ、ＲＡＭなどから構成されるコンピュータシステムである。ＩＣカードまたはモジュールには、上記の超多機能ＬＳＩが含まれてもよい。マイクロプロセッサが、コンピュータプログラムにしたがって動作することにより、ＩＣカードまたはモジュールは、その機能を達成する。このＩＣカードまたはこのモジュールは、耐タンパ性を有してもよい。
【０２３９】
（４）本発明は、上記に示す方法で実現されてもよい。また、これらの方法をコンピュータにより実現するコンピュータプログラムで実現してもよいし、コンピュータプログラムからなるデジタル信号で実現してもよい。
【０２４０】
また、本発明は、コンピュータプログラムまたはデジタル信号をコンピュータ読み取り可能な記録媒体、例えば、フレキシブルディスク、ハードディスク、ＣＤ−ＲＯＭ、ＭＯ、ＤＶＤ、ＤＶＤ−ＲＯＭ、ＤＶＤ−ＲＡＭ、ＢＤ（Ｂｌｕ−ｒａｙ  Ｄｉｓｃ）、半導体メモリなどに記録したもので実現してもよい。また、これらの記録媒体に記録されているデジタル信号で実現してもよい。
【０２４１】
また、本発明は、コンピュータプログラムまたはデジタル信号を、電気通信回線、無線または有線通信回線、インターネットを代表とするネットワーク、データ放送等を経由して伝送してもよい。
【０２４２】
また、本発明は、マイクロプロセッサとメモリを備えたコンピュータシステムであって、メモリは、コンピュータプログラムを記憶しており、マイクロプロセッサは、コンピュータプログラムにしたがって動作してもよい。
【０２４３】
また、プログラムまたはデジタル信号を記録媒体に記録して移送することにより、またはプログラムまたはデジタル信号をネットワーク等を経由して移送することにより、独立した他のコンピュータシステムにより実施するとしてもよい。
【０２４４】
（５）上記実施の形態及び上記変形例をそれぞれ組み合わせるとしてもよい。
【０２４５】
なお、本発明は、これらの実施の形態またはその変形例に限定されるものではない。本発明の趣旨を逸脱しない限り、当業者が思いつく各種変形を本実施の形態またはその変形例に施したもの、あるいは異なる実施の形態またはその変形例における構成要素を組み合わせて構築される形態も、本発明の範囲内に含まれる。
【産業上の利用可能性】
【０２４６】
本発明は、雨水またはＰＶパネル等に散布した水の熱を有効利用して水道水を効率的に予熱することができ、また、上記雨水またはＰＶパネルに散布した水と、予熱した水道水とを用途に応じて有効に利用できる、家庭用のタンクシステムとして有用である。
【符号の説明】
【０２４７】
１０  風呂
２０  上水道
３０  給湯器
４０  ＰＶパネル
５０  散布部
６０  日射計
７０  屋根
１００、３００、４００  タンクシステム
１１０  第１の貯水タンク
１１１  第１の供給部
１２０  第２の貯水タンク
１２１  第２の供給部
１４０  第１の注水路
１５０  第２の注水路
１６０  フィルタ
１７０  第１のポンプ
１８０  第１の注水部
１９０  第２の注水部
２００  雨樋
２１０  切替部
２２０  制御部
２２１  温度測定部
２２２  外気温計
２２３  ＰＶパネル温度計
２２４  ＰＶパネル発電電力計
２２５  第１の水温計
２２６  第２の水温計
２２７  第１の水量計
２２８  第２の水量計
２２９  第１の貯水バルブ
２３０  第２の貯水バルブ
２３１  第３のポンプ
２３２  水量測定部
２４０  断熱材
２５０  第２のポンプ
２６０  トイレ
２７０  放熱部
２８０  第３の供給部
３３０  発電効率
３４０  取り出し効率
３７０  第２の切替部
３８０  第３の切替部
３９０  第４のポンプ
４１０  第１の水路
４２０  第２の水路
４３０  第３の水路
４４０  第４の水路
４５０  第４の切替部
４６０  部分
４７０  第５のポンプ
４８０  第６のポンプ
４９０  フレーム
５００  凸部
５１０  パッキン
５２０  コーキング材
【図１】
2014062726.tif 000003
【図２】
2014062726.tif 000004
【図３】
2014062726.tif 000005
【図４】
2014062726.tif 000006
【図５】
2014062726.tif 000007
【図６】
2014062726.tif 000008
【図７】
2014062726.tif 000009
【図８】
2014062726.tif 000010
【図９】
2014062726.tif 000011
【図１０】
2014062726.tif 000012
【図１１】
2014062726.tif 000013
【図１２】
2014062726.tif 000014
【図１３】
2014062726.tif 000015
【図１４】
2014062726.tif 000016
【図１５】
2014062726.tif 000017
【図１６】
2014062726.tif 000018
【図１７】
2014062726.tif 000019
【図１８】
2014062726.tif 000020
【図１９】
2014062726.tif 000021
【図２０】
2014062726.tif 000022
【図２１】
2014062726.tif 000023
【図２２】
2014062726.tif 000024
【図２３】
2014062726.tif 000025
【図２４】
2014062726.tif 000026
【図２５】
2014062726.tif 000027
【図２６】
2014062726.tif 000028
【図２７】
2014062726.tif 000029
【図２８】
2014062726.tif 000030
【図２９】
2014062726.tif 000031
【図３０】
2014062726.tif 000032
【図３１】
2014062726.tif 000033